(57)【特許請求の範囲】
【請求項１】
ヘッドユニット（２）が、本体ケース（１）に対して傾動可能に支持されていて、該本体ケース（１）の上端開口縁とヘッドユニット（２）との間に、ヘッドユニット（２）の傾動を許す隙間（Ｓ）が設けられており、
この隙間（Ｓ）を封止するように、ヘッドユニット（２）の下端縁の内面から本体ケース（１）の上端縁の内面に至る、筒状の弾性カバー（１０１）が配置されており、
弾性カバー（１０１）は、ヘッドユニット（２）の下端に係合装着されて、該弾性カバー（１０１）と別体に形成された骨材（１０４）を介して、ヘッドユニット（２）に掛止固定されており、
本体ケース（１）の前壁の上端開口周縁には、Ｖ字状の凹部（１００）が下凹み状に形成されており、
この凹部（１００）を含む本体ケース（１）の上端開口縁とヘッドユニット（２）の下端との間の隙間（Ｓ）を封止するため、弾性カバー（１０１）の前方側の筒壁（１１８）が上下方向に長く形成されており、
下端部分を除く前方側の筒壁（１１８）が、骨材（１０４）に設けられた上下に長い面壁（１１４）で、内方側から裏打ち状に支持されており、
筒壁（１１８）の下端部分が、面壁（１１４）で支持されないフリー状態となるようにしていることを特徴とする電気かみそり。
【請求項２】
弾性カバー（１０１）の筒壁の上部がヘッドユニット（２）の下端に装着されていて、弾性カバー（１０１）の筒壁の下部が本体ケース（１）内でフリー状態となっている請求項１記載の電気かみそり。
【請求項３】
弾性カバー（１０１）の筒壁の下部周縁が、本体ケース（１）の内面に近接若しくは当接している請求項１又は２記載の電気かみそり。
【発明の詳細な説明】
【技術分野】
【０００１】
本発明は、ヘッドユニットが本体ケースに対して傾動可能に支持されている電気かみそりに関する。
【背景技術】
【０００２】
電気かみそりの分野において、切断刃を含むヘッドユニットを、本体ケースに対して傾動可能に浮動することは、例えば本出願人の出願に係る特許文献１等に公知である。そこでは、モーター台の上下にかみそりヘッドとモーターを組み付けてヘッドユニットを構成し、モーター台とケース本体との間に設けた左右一対のばねで、ヘッドユニットを浮動可能に支持している。特許文献２には、上下および左右方向へ浮動できる電気かみそりが開示されている。そこでは、モーターケースにモーターとかみそりヘッドを組み付けてこれら三者を１個のヘッドユニットとして構成し、ヘッドユニットを本体ケースで浮動可能に支持している。詳しくは、三角形状に配置した３個の支持脚を本体ケースで上下スライド自在に支持し、支持脚の間に配置したばねでモーターケースを押し上げ付勢している。支持脚とモーターケースとは球面座を介して連結されており、３個の球面座でヘッドユニットの前後、左右、あるいは斜めへの傾動を吸収できるようになっている。
【０００３】
【特許文献１】特開２０００−１４９４３号公報
【特許文献２】特開平８−１８２８７２号公報
【発明の開示】
【発明が解決しようとする課題】
【０００４】
上記特許文献のような電気かみそりにおいては、ヘッドユニットと本体ケースと間に、ヘッドユニットの傾動を許す微小な遊動隙間が設けられている。このため、ヘッドユニットが傾動限界まで傾動操作されたときに、その下端部が本体ケースの上端開口縁に接触するたびに、「カツカツ」と耳障りな騒音を発するところに問題がある。
【０００５】
本発明の目的は、ヘッドユニットが本体ケースに対して傾動可能に支持されている電気かみそりにおいて、ヘッドユニットの下端部が本体ケースの上端開口周縁に直接的に接触することを防ぎ、したがって当該接触に起因する「カツカツ」という騒音の発生を防いで電気かみそりの静粛性の向上を図ることにある。
【課題を解決するための手段】
【０００６】
本発明は、図１ないし図３に示すごとく、ヘッドユニット２が本体ケース１に対して傾動可能に支持されていて、該本体ケース１の上端開口縁とヘッドユニット２との間に、ヘッドユニット２の傾動を許す隙間Ｓが設けられている電気かみそりにおいて、この隙間Ｓを封止するように、ヘッドユニット２の下端縁の内面から本体ケース１の上端縁の内面に至る、筒状の弾性カバー１０１が配置されていることを特徴とする。弾性カバー１０１の素材としては、ゴム、シリコン、エラストマー樹脂などの各種弾性素材を挙げることができる。弾性カバー１０１は、ヘッドユニット２の下端に係合装着されて、該弾性カバー１０１と別体に形成された骨材１０４を介して、ヘッドユニット２に掛止固定されており、弾性カバー１０１の筒壁１１８が、骨材１０４に設けられた上下に長い面壁１１４で、内方側から裏打ち状に支持されている。筒壁１１８の下端部分が、面壁１１４で支持されないフリー状態となるようにしている。
【０００７】
具体的には、図１、図７および図８に示すごとく、弾性カバー１０１の筒壁の上部がヘッドユニット２の下端に装着されていて、弾性カバー１０１の筒壁の下部が本体ケース１内でフリー状態となる形態を採ることが好ましい。
【０００８】
図７および図８に示すごとく、弾性カバー１０１の筒壁の下部周縁は、本体ケース１の内面に近接若しくは当接するようにすることが好ましい。
【００１０】
図２に示すごとく、本体ケース１の前壁の上端開口周縁には、Ｖ字状の凹部１００が下凹み状に形成されており、図７および図８に示すごとく、この凹部１００を含む本体ケース１の上端開口縁とヘッドユニット２の下端との間の隙間Ｓを封止するため、弾性カバー１０１の前方側の筒壁１１８が上下方向に長く形成されており、下端部分を除く前方側の筒壁１１８が、骨材１０４に設けられた上下に長い面壁１１４で、内方側から裏打ち状に支持された形態を採ることができる。
【発明の効果】
【００１１】
本発明のように、ヘッドユニット２の下端縁の内面から本体ケース１の上端縁の内面に至る弾性カバー１０１で隙間Ｓを封止してあると、ヘッドユニット２が本体ケース１に対して傾動限界まで傾動操作されたときにも、その下端部が本体ケース２の上端開口縁に直接的に接触することがなく、したがって、これらヘッドユニット２の下端部と本体ケース１の上端開口縁との接触に起因する、「カツカツ」といったような耳障りな騒音の発生を確実に防ぐことができる。加えて、図８に示すように、弾性変形したカバー１０１で隙間Ｓを封止できるので、毛屑や塵埃の本体ケース１内への侵入を効果的に防いで、動作不良の発生を抑えることができる。
【００１２】
弾性カバー１０１の筒壁の上部のみがヘッドユニット２の下端に装着されていて、弾性カバー１０１の筒壁の下部が本体ケース１内でフリー状態となるようにしてあると、弾性カバー１０１の上部だけでなく下部をも本体ケース１に装着する形態に比べて、本体ケース１に対するヘッドユニット２の組み立て作業をより少ない手間で作業効率良く進めることができる。これは電気かみそりの製造コストの低減化に資する。また、弾性カバー１０１の上下両端を固定する形態に比べて、弾性カバー１０１を破れ難くできるため、電気かみそりの耐久性向上を図ることができる。
【００１３】
弾性カバー１０１の筒壁の下部周縁が、本体ケース１の内面に近接若しくは当接するようにしてあると、隙間Ｓを完全に封止して、外観体裁の向上を図ることができる。本体ケース１内への毛屑や塵埃の侵入を効果的に防いで、動作不良の発生を抑えることもできる。
【００１４】
弾性カバー１０１の筒壁が、骨材１０４に設けられた上下に長い面壁１１４で、内方側から裏打ち状に支持されていると、弾性カバー１０１がケース内方へ大きく凹むなどのように、弾性カバー１０１が歪に変形することをよく防ぐことができる。したがって、この点でも電気かみそりの外観体裁の向上を図ることができる。
【００１５】
本体ケース１の前壁の上端開口周縁に、Ｖ字状の凹部１００が下凹み状に形成されていると、ヘッドユニット２が前方側へ大きく傾くように、ひげ切断姿勢を大きく変形させることができる。この場合には、前方側の筒壁１１８が上下方向に長く形成された弾性カバー１０１を用いれば、凹部１００を含む本体ケース１の上端開口縁とヘッドユニット２の下端との間の隙間Ｓを完全に封止することができる。そのうえで、弾性カバー１０１の筒壁の上下寸法が大きくなると、弾性カバー１０１がケース内方へ大きく凹むなどのごとく弾性カバー１０１が歪に変形しやすい。これに対して本発明のように、弾性カバー１０１の前方側の筒壁１１８が骨材１０４に設けられた上下に長い面壁１１４で内方側から裏打ち状に支持されていると、かかる不具合をよく防ぐことができる。加えて、骨材１０４の面壁１１４が弾性カバー１０１の前方側の筒壁１１８の全面を支持する形態を採った場合には、弾性カバー１０１の可撓性が損なわれて、ヘッドユニット２のスムーズな姿勢変形が妨げられやすいが、本発明のように弾性カバー１０１の下端部分は骨材１０４で支持されないフリー状態となるようにしてあると、当該下端部分でもってヘッドユニット２のスムーズな姿勢変形を良好に確保できる。
【発明を実施するための最良の形態】
【００１６】
図１ないし図１１は本発明に係るロータリー式の電気かみそりの実施形態を示す。図２ないし図４において電気かみそりは、本体ケース１と、その上部に設けられるヘッドユニット２と、本体ケース１内に収容される電装品ユニット３とを含む。本体ケース１の前面および側面には、モーター起動用のスイッチボタン５やモード切替用のセレクトスイッチ６、さらに各種の表示体が設けられている。図３において、本体ケース１の背面側にはきわぞり刃７と、きわぞり刃７を使用姿勢へ押上げ操作するスライドノブ９とを設けてある。
【００１７】
図４に示すように、電装品ユニット４は、内フレーム１１と、その前後面に配置される回路基板１２および左右一対の二次電池１３と、回路基板１２に実装されるスイッチ、および複数個の表示用ＬＥＤなどで構成してある。本体ケース１は、上面のみが開口する有底筒状の筒ケースからなり、その内部に電装品ユニット３が装填され、ケース底壁に挿通したビス１４を電装品ユニット３の下端のねじボスにねじ込むことにより、電装品ユニット３を本体ケース１と一体化できる。ビス１４および底壁に露出する充電用のプラグピン１５は、それぞれシールリングで水密状に封止してある。
【００１８】
図１および図５においてヘッドユニット２は、横置き配置したモーター２０と、モーター動力を前後一対のメイン刃（切断刃）２１に伝える第１伝動系と、モーター動力をメイン刃２１の間に配置したセンター刃２２に伝動する第２伝動系と、モーター２０および両伝動系の構成部品を収容するケース群などで構成されている。
【００１９】
図５に示すように、第１伝動系は、前段減速機構と、同機構とメイン刃２１との間に配置される巻掛伝動機構などで構成する。前段減速機構は、太陽歯車２５と、遊星歯車２６と、遊星フレーム２７と、内歯歯車２８、および減速ケース２９を構成要素とする遊星歯車機構とからなり、減速した動力を遊星フレーム２７に固定した減速軸３０で出力する。巻掛伝動機構は、減速軸３０に固定の原動プーリー３２と、従動プーリー３３と、両プーリー３２・３３に巻き掛けたタイミングベルト３４とを含む。従動プーリー３３は終段軸３５に固定してある。終段軸３５の反対側の軸端に終段ギヤ３６を固定してある。終段ギヤ３６で、メイン刃２１の内刃２１ａに固定した内刃ギヤ３７が駆動される。
【００２０】
メイン刃２１は、前後一対の内刃２１ａと、外刃ホルダー６に装着の外刃２１ｂとで構成した仕上げ用の切断刃であり、主として短毛を切断する。同様に、センター刃２２は、往復駆動される可動内刃２２ａと、固定支持される固定外刃２２ｂとで構成してあり、長毛やくせ毛を荒剃り切断する。内刃２１ａはロータリー刃、外刃２１ｂは網刃、可動内刃２２ａおよび固定外刃２２ｂは断面逆Ｕ字状のスリット刃で形成してある。
【００２１】
第２伝動系は、巻掛伝動機構の中途部から分岐されて、回転動力をモーター２０の上方へ伝動する。詳しくは、分岐軸４０の一端に固定されてタイミングベルト３４と噛み合う分岐プーリー４１と、分岐軸４０の他端に固定したフェースギヤ４２と、フェースギヤ４２に噛み合う中間ギヤ４３と、中間ギヤ４３に噛み合うカムギヤ４４と、カムギヤ４４に一体形成された偏心カム４５と、偏心カム４５で左右方向に往復駆動される振動子４６とで第２伝動系を構成し、振動子４６の上面に設けた駆動軸４７でセンター刃２２の内刃２２ａを駆動する。振動子４６の往復動作は、図７に示す揺動レバー４８できわぞり刃７に伝動されて、その可動内刃を駆動する。
【００２２】
きわぞり刃７は、バリカン刃状の固定刃８５および可動刃８６と、揺動レバー４８の動力を受け継ぐ受動片８７などを備えており、きわぞり刃７の全体をスライドノブ９で押し上げ操作することにより、受動片８７が揺動レバー４８の駆動溝４９（図７参照）と係合して往復動力を可動刃８６に伝える。図６に示すごとく、きわぞり刃７は、常態においては本体ケース１の背面に開設された開口８８内にあり、使用時においては、図７に示すように開口８８から引き出されて、後ろ方向に伸びる突出姿勢となる。
【００２３】
図８において、符号５０はモーター２０を収容するモーターケースである。モーターケース５０はアルミニウムを素材とするダイキャスト成形品からなり、有底筒状の本体部の下面左右に、後述するフロート台５６を締結固定するためのねじボス５１が一体に突設してある。
【００２４】
上記構成のヘッドユニット２を前後、左右、上下、斜めの全方位方向へ傾動可能に浮動支持するために、電装品ユニット３の内フレーム１１とヘッドユニット２との間には浮動支持構造を設けてある。図６ないし図９において浮動支持構造は、内フレーム１１の上部に設けたフロート枠５５と、モーターケース５０の下部に設けたフロート台５６との間に介装されて、ヘッドユニット２を押し上げ付勢する左右一対のばね５７と、フロート枠５５とフロート台５６とを全方位方向へ傾動可能に連結する連結構造とで構成されている。
【００２５】
図８および図９においてフロート枠５５は、内フレーム１１の電池収容部の上端左右に突設された左右一対の側枠５９と、電池収容部の上端前後に突設される前後二組のリブ壁６０と、これら両者５９・６０で支持される横長長円状のシール枠６１などで構成してあり、その内底部分にばね５７を受け止める一対のばね受ボス６２を突設してある。左右の側枠５９のそれぞれに、後述する左右の支点ピン７０を移行案内するガイド溝６４が長円状に形成されている。
【００２６】
図８に示すように、前後一対ずつのリブ壁６０によって、後述する前後の支点ピン７２を移行案内するガイド溝６５を形成してある。前後一対ずつのリブ壁６０は、シール枠６１の下部内面に突設されているので、前後のガイド溝６５の上端は開放されている。図９においてフロート台５６は、横長長円状の台本体６８を有し、その左右両側に下向きに突出する脚片６９を設け、両脚片６９の下端外面に左右一対の丸軸からなる支点ピン７０を突設し、台本体６８の前後中央に下向きに突出する脚片７１を設け、両脚片７１の下端外面に左右一対の丸軸からなる支点ピン７２を突設してなる。台本体６８の上端には後述するケースパッキン８０を装着するためのシール壁７３を形成してあり、その内底にモーターケース５０のねじボス５１と嵌合する連結穴７４が形成されている（図８参照）。連結穴７４に臨む台本体６８の底面には、フロート台５６をモーターケース５０に締結するビス７５用のボスと、ばね５７用のばね受ボス７６が突設されている。ばね受ボス７６の一方がビス７５用のボスを兼ねる。
【００２７】
電装品ユニット３を水密状にシールするために、フロート台５６とフロート枠５５（内フレーム）との間にケースパッキン８０を配置してある。図９においてケースパッキン８０は、上下面が開口する成形パッキンからなり、その上部にシール壁７３に嵌め込まれる上シール部８１を有し、上シール部８１の周囲に張り出されたスカート壁８２の下部開口にシール枠６１に嵌め込まれる下シール部８３を一体に備えている。装着状態におけるケースパッキン８０は、ヘッドユニット２を中立位置へ戻すための弾性体を兼ねていて、ばね５７の復帰付勢作用を補助する。
【００２８】
上シール部８１をフロート台５６のシール壁７３に嵌め込んだ状態で、モーターケース５０のねじボス５１に連結穴７４を嵌合し、ビス７５をフロート台５６の下面側からねじボス５１にねじ込むことによって、図７に示すようにフロート台５６をモーターケース５０と一体化し、これら両者５０・５６の接合面をシール壁７３でシールすることができる。なお、モーター２０用の給電リードは、シール壁７３で囲まれた空間を介してモーターケース５０から導出され、フロート台５６の下方空間へ引き出されて、回路基板１２側のリード線と結線される。
【００２９】
上記のように、フロート台５６およびケースパッキン８０が組み付けられたヘッドユニット２は、前後左右の支点ピン７０・７２をフロート枠５５のガイド溝６４・６５に組み付けることによって、フロート枠５５（内フレーム）と連結される。組み付け時には、フロート枠５５内に一対のばね５７を装填したのち、左右の支点ピン７０の一方をガイド溝６４に差し込み係合し、図６に示すようにヘッドユニット２を傾動しながら、脚片６９を弾性変形させて他方の支点ピン７０をガイド溝６４に係合する。このとき、前後のガイド溝６５の上端を開放してあるので、単に左右の支点ピン７０を左右のガイド溝６４に係合するだけで、前後の支点ピン７２を対応するガイド溝６５に係合させることができる。
【００３０】
以上のような浮動構造を有する電気かみそりによれば、ヘッドユニット２が各支点ピン７０・７２まわりに回動し、あるいは各支点ピン７０・７２のひとつ以上がガイド溝６４・６５に沿って沈み込むことにより、図１および図１０に示すようにヘッドユニット２を前後、左右、上下、および斜めの全方位方向へ傾動可能に浮動支持して、ひげ切断面を肌面の変化に円滑に追随させることができる。このように、ヘッドユニット２が上下方向にも傾動可能に構成されていると、従来のヘッドユニット２が前後、左右および斜め方向にのみ傾動可能な形態に比べて、ひげ切断面を肌面の変化により円滑に追随させることができるため、電気かみそりに優れた操作性を付与することができる。肌への負荷を著しく軽減できる点でも有利である。
【００３１】
ばね５７の弾性力に逆らって押し込み操作されたヘッドユニット２は、基本的にばね５７とケースパッキン８０で支えられている。しかし、ヘッドユニット２の傾動姿勢がどのように変化しても、各支点ピン７０・７２とガイド溝６４・６５とは、図９に示すように常に係合状態を維持し続けるので、ヘッドユニット２が縦中心軸まわりに旋回するのを確実に防止して、ひげ切断面が不必要に傾動し、ふらつくのを確実に解消する。きわぞり刃８を使用するとき、切断反力を受けたヘッドユニット２が、縦中心軸まわりに往復振動することも解消できる。
【００３２】
そのうえで本実施形態に係る浮動構造においては、不使用時におけるヘッドユニット２の前後方向の不用意な微小揺動を防ぐための規制手段を組み込んである。かかる規制手段は、フロート枠５５の前後面に装着されて、支点ピン７２・７２の上端縁を受け止める前後一対の規制体９０・９０と、これら規制体９０に向けて、押し上げ部材９１を介して支点ピン７２・７２を上方へ付勢する、前後一対のばね９２とからなる。
【００３３】
すなわち、図１、図８、図９および図１０に示すように、リブ壁６０・６０の間には、支点ピン７２・７２の上端縁に係合して、フロート台５６の上方への移動限界を規制する前後一対の規制体９０・９０が、フロート枠５５の前後外側から嵌め込み固定されている。図９に示すように、規制体９０は、リブ壁６０・６０の間からフロート枠５５の内方に突出し、支点ピン７２・７２の上端縁を受け止める規制片９４と、規制片９４の左右両端から後方向に片持ち状に伸びて、リブ壁６０を挟持状に係合捕捉する姿勢保持用の左右一対の係合腕９５とを含む。規制片９４の支点ピンと対向する係合面９６は、前下がりの傾斜状に形成されている。ばね９２は、ねじりコイル形の押しばねであり、押し上げ部材９１を介して支点ピン７２・７２を上方へ押し上げ付勢する。押し上げ部材９１は、支点ピン７２・７２の下端縁を受け止める前後に長い四角柱状のベース部９７と、ベース部９７の上面の前後中央部から突出形成されて、脚片６９・６９の間に嵌め込み装着される装着部９８とからなる。ベース部９７の下面の前後二箇所には、ばね９２の上端を受け入れる微小穴９９が凹み形成されている（図７参照）。
【００３４】
以上のような規制手段を浮動支持構造内に組み込んであると、ばね９２の押し上げ付勢力により、フロート台５６の支点ピン７２を規制体９０の係合面９５に確りと押し付けることができる。したがって、不使用時に電気かみそりの全体を前後方向に揺らしたときにも、ヘッドユニット２が前後方向に不用意にカクカクと揺動することを解消できる。これは、商品イメージの向上と、購買者に対する訴求効果の向上とに資する。
【００３５】
図１および図２において符号Ｓは、本体ケース１の上端開口周縁とヘッドユニット２との間に設けられたヘッドユニット２の傾動を許す隙間を示しており、本実施形態においては、当該隙間Ｓを封止するように、ヘッドユニットの下端縁の内面から本体ケースの上端縁の内面に至るように、弾性材製のカバー１０１を配置してある点が着目される。
【００３６】
すなわち、図１および図１１に示すように、ヘッドユニット２の下端部には、下ケース１０３および、弾性カバー１０１の保形用の骨材１０４が装着されており、当該骨材１０４の上端縁に弾性カバー１０１が掛止装着されている。下ケース１０３の下端縁には、モール１０５が装着されている。本体ケース１の前壁の上端開口周縁には、前方向へのヘッドユニット２の傾動幅を大きくとることを目的として、Ｖ字状の凹部１００が下凹み状に形成してある。
【００３７】
下ケース１０３は、前方側の枠壁１０６のみがＶ字状に下方に大きく張り出し形成された四角枠状のプラスチック成形品であり、前後の枠壁の内面には、左右方向に長い微小リブ１０７が内向きに突設されている。ヘッドユニット２の前後の下端四箇所には、下ケース１０３を係合装着するための係合爪１０８が下向きに突設されており、該係合爪１０８を微小リブ１０７に差し込み係合することにより、下ケース１０３はヘッドユニット２に装着固定されている。下ケース１０３の前方側の枠壁１０６には、化粧パネル１０９を嵌め込むための開口１０６ａが開設されている。
【００３８】
モール１０５は、その上端面が下ケース１０３の枠壁の下端面と合致する四角枠状のプラスチック成形品であり、その左右の四箇所に上向きに突設された係合爪１１１が、下ケース１０３の左右の枠壁の内面の四箇所に形成された係合溝１１２に係合することにより、該下ケース１０３に対して不離一体的に装着固定される。かかるモール１０５は、外観性の向上を図ることを目的として配置される。
【００３９】
骨材１０４は、下ケース１０３の枠寸法よりも一周り小さな枠寸法を有する四角枠状の本体部１１３と、該本体部１１３の前面から下方に向けて大きく張り出し形成されたＶ字状の面壁１１４とを備えるプラスチック成形品であり、本体部１１３の左右から内方向に突設された係合壁１１５が、ヘッドユニット２の左右の下端四箇所に下向きに突設された係合爪１１６に係合捕捉されることにより、ヘッドユニット２に一体的に装着固定されている。
【００４０】
弾性カバー１０１は、上下面が開口する四角筒状のゴム成形品であり、その前方側の筒壁１１８のみがＶ字状に下方に大きく張り出している。筒壁の上部には、その略全周にわたって骨材１１３の枠壁に掛止固定するための掛止片１１９が設けられている。掛止片１１９は、筒壁の上端から内向きの水平方向に伸びる上壁と、上壁の内側端から下向きに伸びる側壁とで構成されて、下向きに開口を有する断面コ字形をなしており、骨材１０４の枠壁で上壁の内面が受け止められるように掛止片１１９を上方から嵌め込むことによって、弾性カバー１０１と骨材１０４と一体化することができる。このように骨材１０４と弾性カバー１０１とを一体化したうえで、骨材１０４をヘッドユニット２に装着させるとともに、下ケース１０３をヘッドユニット２に装着することで、これら下ケース１０３、弾性カバー１０１および骨材１０４をヘッドユニット２に一体化することができる。かかる組み付け状態において、骨材１０４は下ケース１０３よりも内方側に位置しており、下ケース１０３の前方側の枠壁１０６と骨材１０４の面壁１１４とで、内外方向から弾性カバー１０１の前方側の筒壁１１８を挟んでいる。図に示すように、弾性カバー１０１の前方側の筒壁１１８の下方向への突出寸法は、下ケース１０３の前方側の枠壁１０６および骨材１０４の面壁１１４のそれよりも大きく設定されており、したがって、筒壁１１８の下端周縁は可撓変形可能なフリー状態にある。
【００４１】
ヘッドユニット２を本体ケース１に組み付ける際、すなわち、上述のごとく前後左右の支点ピン７０・７２をフロート枠５５のガイド溝６４・６５に組み付けて、本体ケース１側のフロート枠５５と連結する際には、フリー状態にある弾性カバー１０１の下端周縁が本体ケース１内にくるように位置合わせしながら組み付け作業を行う。これにて、ヘッドユニット２の下端縁の内面から本体ケース１の上端縁の内面に至るように配置された弾性カバー１０１により、隙間Ｓを完全に封止することができる。弾性カバー１０１の筒壁１１８の下部周縁は、本体ケース１の内面に当接あるいは近接した状態にある。
【００４２】
以上のように弾性カバー１００で隙間Ｓを封止してあると、ヘッドユニット２が本体ケース１に対して傾動限界まで傾動操作されたときにも、その下端部が本体ケース２の上端開口縁に直接的に接触することがない。したがって、両者１・２の接触に起因する「カツカツ」というような耳障りな騒音の発生を抑えて、静粛性の向上を図ることができる。また、ヘッドユニット２のモーター２０の振動が本体ケース２に直接的に伝播することがなく、したがって、本体ケース１を握る手に不快感を与えることもない。弾性変形したカバー１０１で隙間Ｓを封止することができるので、毛屑や塵埃の本体ケース１内への侵入を効果的に防ぐことができる。
【００４３】
弾性カバー１０１の筒壁の上部のみがヘッドユニット２の下端に装着されていて、弾性カバー１０１の筒壁の下部が本体ケース１内でフリー状態となるようにしてあると、弾性カバー１０１の上部だけでなく下部も本体ケース１に装着する形態に比べて、本体ケース１に対するヘッドユニット２の組み立て作業をより少ない手間で作業効率良く進めることができる。また、弾性カバー１０１の上下両端を装着する形態に比べて、弾性カバー１０１が破れ難くできるので、電気かみそりの耐久性向上を図ることができる。
【００４４】
弾性カバー１０１の筒壁の下部周縁が、本体ケース１の内面に近接若しくは当接するようにしてあると、隙間Ｓを完全に封止して、外観体裁の向上を図ることができる。本体ケース１内への毛屑や塵埃の侵入を効果的に防ぐこともできる。具体的には、これら弾性カバー１０１と本体ケース１の内面との対向間隔寸法は、0.５mm以下であることが好ましく、当該数値範囲とすることにより、上記のような作用効果を得ることができる。
【００４５】
とくに、弾性カバー１０１の筒壁の下部全周が本体ケース１の内面に、該カバー１０１の弾性力でもって当接していると、すなわち弾性カバー１０１が本体ケース１の内面に押し付けられるようになっていると、隙間Ｓからの毛屑や塵埃の侵入を完全に防ぐことができる。尤も、毛屑等が隙間Ｓから侵入した場合でも、弾性カバー１０１が返しになっているため隙間Ｓから毛屑等が逆流することはない。しかも本実施形態に係る電気かみそりでは、隙間Ｓから侵入した毛屑等は、水洗い時にきわぞり刃７用の開口８８から排出されるため、使用者に不快感を与える不具合は一切ない。
【００４６】
弾性カバー１０１の前方側の筒壁１１８が、骨材１０４に設けられた上下に長い面壁１１４で、内方側から裏打ち状に支持されていると、当該筒壁１１８がケース内方へ大きく凹むなどのように、弾性カバー１０１が歪に変形することをよく防ぐことができる。したがって、この点でも電気かみそりの外観体裁の向上を図ることができる。
【００４７】
本体ケース１の前壁の上端開口周縁に、Ｖ字状の凹部１００が下凹み状に形成されていると、ヘッドユニット２が前方側へ大きく傾くように、ひげ切断姿勢を大きく変形させることができる。弾性カバー１０１の前方側の筒壁１１８の上下寸法を大きくとると、弾性カバー１０１がケース内方へ大きく凹むなどのごとく弾性カバー１０１が歪に変形しやすいが、これが骨材１０４に設けられた上下に長い面壁１１４で内方側から裏打ち状に支持されていると、歪に変形し難い。加えて、骨材１０４の面壁１１４が弾性カバー１０１の前方側の筒壁１１８の全面を支持する形態を採った場合には、弾性カバー１０１の可撓性が損なわれて、ヘッドユニット２のスムーズな姿勢変形が妨げられることとなるが、本発明のように弾性カバー１０１の下端部分は骨材１０４で支持されないフリー状態となるようにしてあると、当該下端部分でもってヘッドユニット２のスムーズな姿勢変形を良好に確保できる。
【００４８】
上記実施形態においては、本体ケース１の前壁の上端開口周縁に、Ｖ字状の凹部１００を下凹み状に形成するとともに、下ケース１０３の前方側の枠壁１０６をＶ字状に下方に大きく張り出し形成していたが、本発明はこれに限られず、下ケース１０３の前方側の枠壁１０６の下端縁は、左右に伸びる直線状であってもよい。
【００４９】
本発明が適用される電気かみそりは、上記実施形態に示したようなヘッドユニット２内にモーター２０が組み付けられた形態に限られず、モーター２０が本体ケース１内に組み付けられ、撓み可能なフレキシブルな回転軸によって、ヘッドユニット２にモーター回転力を伝達し、これで可動刃を駆動する形態の電気かみそりにも好適に適用できる。本発明は、上記実施形態に示したごとく、ヘッドユニット２が浮動支持構造で、左右、上下、斜めの全方位方向へ傾動可能に浮動支持された形態に限られず、少なくとも前後、左右、および斜めの方向にヘッドユニット２が傾動できる形態にも好適に適用できる。上記実施形態には、メイン刃がロータリー式の電気かみそりを挙げたが、本発明はこれに限られず、レシプロ式、回転式の電気かみそりなどにも好適に適用できる。
【図面の簡単な説明】
【００５０】
【図１】本発明に係る電気かみそりの要部の縦断正面図
【図２】電気かみそりの正面図
【図３】電気かみそりの側面図
【図４】電気かみそりの分解図
【図５】動力伝動構造全体を示す縦断正面図
【図６】ヘッドユニットと本体ケースとの連結部分を示す縦断側面図
【図７】要部の縦段側面図
【図８】浮動支持構造の分解図
【図９】浮動支持構造の分解斜視図
【図１０】浮動支持構造の要所を示す横断平面図
【図１１】電気かみそりの分解斜視図
【符号の説明】
【００５１】
１  本体ケース
２  ヘッドユニット
１００  本体ケースの上端開口周縁に設けられたＶ字状の凹部
１０１  弾性カバー
１０４  骨材
１１４  骨材の面壁
１１８  弾性カバーの前方側の筒壁
Ｓ  隙間
【図１】
0004832726.tif 000002
【図２】
0004832726.tif 000003
【図３】
0004832726.tif 000004
【図４】
0004832726.tif 000005
【図５】
0004832726.tif 000006
【図６】
0004832726.tif 000007
【図７】
0004832726.tif 000008
【図８】
0004832726.tif 000009
【図９】
0004832726.tif 000010
【図１０】
0004832726.tif 000011
【図１１】
0004832726.tif 000012